(57)【特許請求の範囲】
【請求項１】
基板（２５）と、前記基板（２５）を基板取付部（３９，４３）で保持するベース部材（３１）とを含む遊技機構成部材を備える遊技機において、
前記ベース部材（３１）は遊技機の他構成部材への固定面（３２ａ）を有し、該固定面（３２ａ）に対して前記基板取付部（３９，４３）が垂直に形成され、前記基板取付部（３９，４３）には、前記基板（２５）と当接して該基板（２５）の向きを規定すると共に当該基板（２５）を保持する基板取付面（４２，４４）が形成されて、前記基板取付面（４２，４４）が前記固定面（３２ａ）に対し傾斜しており、
前記ベース部材（３１）の基板取付部（３９，４３）との間で前記基板（２５）を挟持する挟持用基板取付部（４９，５２）が形成された挟持部材（４７）を、前記ベース部材（３１）に対する組み付け部材として有し、前記挟持用基板取付部（４９，５２）には、前記ベース部材（３１）の基板取付部（３９，４３）における基板取付面（４２，４４）に対して平行な基板挟持面（５０，５３）が形成され、前記基板取付面（４２，４４）と前記基板挟持面（５０，５３）間で前記基板（２５）を挟持すると共に、
前記ベース部材（３１）には前記基板取付部（３９，４３）が、前記挟持部材（４７）には前記挟持用基板取付部（４９，５２）が、前記基板（２５）には取付用貫通穴（２７，２８）が、それぞれ互いに対応して複数組形成され、前記複数組における少なくとも一組については、前記ベース部材（３１）に、前記他構成部材への固定面（３２ａ）に対して垂直な係止用穴（４５）が前記基板取付面（４４）から前記基板取付部（４３）内にかけて形成され、同組における前記挟持部材（４７）には、前記ベース部材（３１）の固定面（３２ａ）に対して垂直な係止部材貫通穴（５４）が前記挟持用基板取付部（５２）に形成され、同組における前記挟持部材（４７）の係止部材貫通穴（５４）から前記基板（２５）の取付用貫通穴（２８）を通って前記ベース部材（３１）の係止用穴（４５）に至る棒状係止部材（Ｂ１）が挿入係止され、
前記複数組における残りの少なくとも一組については、前記ベース部材（３１）の基板取付面（４２）および前記挟持部材（４７）の基板挟持面（５０）の何れか一方に係合用突部（４１）、他方に前記係合用突部（４１）の挿入される係合用穴（５１）が形成され、同組における前記係合用突部（４１）が前記基板（２５）の取付用貫通穴（２７）を通って前記係合用穴（５１）に係合されていることを特徴とする遊技機。
【発明の詳細な説明】
【技術分野】
【０００１】
本発明は、遊技機に関し、特には基板と該基板を保持するベース部材とを含む遊技機構成部材を備える遊技機に関する。
【背景技術】
【０００２】
パチンコ遊技機等の遊技機においては、種々の基板が用いられている。前記基板の中には、傾斜させて設けるのが好ましいものがある。
【０００３】
従来の遊技機において基板を傾斜させて取付ける構造として、特開２００１−２４６１１４には、遊技機に取り付けられる基板ケースの内部に斜めのガイド溝を設け、前記ガイド溝に沿って基板をスライドさせることにより基板ケース内に収容する構造が示されている。
【０００４】
しかし、スライドにより基板を取付ける構造においては、基板を取付ける際に基板をスライドさせねばならず、作業が煩わしく、しかもスライド用のスペースが必要なため、狭い場所では作業がしずらくなる。
【特許文献１】特開２００１−２４６１１４号公報
【０００５】
また、その他の方法として、遊技機の基板取付面に軸方向を傾斜させた筒状突部（ボスとも称される）を設け、前記軸方向に対して垂直となっている筒状突部先端面に基板を螺子で取付けることが考えられる。
【０００６】
しかし、前記傾斜させた筒状突部に基板を取付ける構造においては、傾斜させた筒状突部の軸方向に沿って基板を移動させて基板の着脱を行うことになるので、基板の着脱時に基板が遊技機内の他の構成部品と干渉しないように構成部品等の配置を設計する必要があり、遊技機の設計に制約が加わる。さらに、筒状突部先端面へ基板を取付けるための螺子の軸方向も、筒状突部の軸方向と同様に遊技機の前後方向に対して斜めになるため、螺子回し作業を行い難い。
【発明の開示】
【発明が解決しようとする課題】
【０００７】
本発明は、前記の点に鑑みなされたもので、基板を傾斜させて取付ける作業が容易になり、構成部品の配置等に関する設計自由度が高い遊技機を提供するものである。
【課題を解決するための手段】
【０００８】
本発明は、基板と、前記基板を基板取付部で保持するベース部材とを含む遊技機構成部材を備える遊技機において、前記ベース部材は遊技機の他構成部材への固定面を有し、該固定面に対して前記基板取付部が垂直に形成され、前記基板取付部には、前記基板と当接して該基板の向きを規定すると共に当該基板を保持する基板取付面が形成されて、前記基板取付面が前記固定面に対し傾斜しており、前記ベース部材の基板取付部との間で前記基板を挟持する挟持用基板取付部が形成された挟持部材を、前記ベース部材に対する組み付け部材として有し、前記挟持用基板取付部には、前記ベース部材の基板取付部における基板取付面に対して平行な基板挟持面が形成され、前記基板取付面と前記基板挟持面間で前記基板を挟持すると共に、前記ベース部材には前記基板取付部が、前記挟持部材には前記挟持用基板取付部が、前記基板には取付用貫通穴が、それぞれ互いに対応して複数組形成され、前記複数組における少なくとも一組については、前記ベース部材に、前記他構成部材への固定面に対して垂直な係止用穴が前記基板取付面から前記基板取付部内にかけて形成され、同組における前記挟持部材には、前記ベース部材の固定面に対して垂直な係止部材貫通穴が前記挟持用基板取付部に形成され、同組における前記挟持部材の係止部材貫通穴から前記基板の取付用貫通穴を通って前記ベース部材の係止用穴に至る棒状係止部材が挿入係止され、前記複数組における残りの少なくとも一組については、前記ベース部材の基板取付面および前記挟持部材の基板挟持面の何れか一方に係合用突部、他方に前記係合用突部の挿入される係合用穴が形成され、同組における前記係合用突部が前記基板の取付用貫通穴を通って前記係合用穴に係合されていることを特徴とする。
【発明の効果】
【０００９】
本発明によれば、遊技機構成部材のベース部材における基板取付面がベース部材の固定面に対して傾斜しているため、基板をスライドさせる等の面倒な作業や広いスペースを必要とすることなく基板を傾斜させてベース部材に取付けることができ、しかも遊技機構成部材を遊技機の他構成部材に固定することによって、容易に基板を傾斜させて遊技機に取付けることができる。また、基板のスライドスペースを必要としないため、遊技機における構成部品の配置等に関する設計自由度も高くなる。また、基板をベース部材の基板取付面と挟持部材の基板挟持面とで基板を挟持するため、基板を確実に傾斜させて保持することができる。
【００１０】
さらに、本発明によれば、前記ベース部材には前記基板取付部が、前記挟持部材には前記挟持用基板取付部が、前記基板には取付用貫通穴が、それぞれ互いに対応して複数組形成され、前記複数組における少なくとも一組については、ベース部材の固定面に対して垂直な係止用穴がベース部材の基板取付面から基板取付部内にかけて形成され、また挟持部材には、前記ベース部材の固定面に対して垂直な係止部材貫通穴が挟持用基板取付部に形成され、他方、基板には取付用貫通穴が形成され、前記挟持部材の係止部材貫通穴から前記基板の取付用貫通穴を通って前記ベース部材の係止用穴に至る棒状係止部材を挿入係止しているため、基板が確実にベース部材と挟持部材間に傾斜して保持される。しかも、ベース部材の固定面に対してベース部材の係止用穴及び挟持部材の係止部材貫通穴が垂直になっているため、前記棒状係止部材の係止作業及び係止解除作業をベース部材の固定面に対して垂直方向で行うことができ、基板の交換等の際の作業を容易に行うことができる。
【００１１】
さらにまた、本発明によれば、前記複数組における残りの少なくとも一組については、ベース部材の基板取付面および挟持部材の基板挟持面の何れか一方には係合用突部、他方には前記係合用突部の挿入される係合用穴が形成され、基板に形成された取付用貫通穴に前記係合用突部が挿通されて係合用穴に係合しているため、ベース部材と挟持部材との位置決めを容易かつ正確に行うことができる。
【００１２】
しかも、本発明によれば、前記棒状係止部材と係合用突部の両方によりベース部材と挟持部材を組み合わせて基板を挟持しているため、ベース部材と挟持部材の位置決めが容易で、しかも基板を確実に傾斜させて保持でき、さらに基板の交換等の際における作業も容易である。
【発明を実施するための最良の形態】
【００１３】
以下図面を用いて本発明の実施形態を説明する。図１は本発明の一実施例に係る遊技機を示す正面図、図２は図１の遊技機におけるサイドランプ付近を示す拡大図、図３は図１の遊技機におけるサイドランプの斜視図、図４は図１の遊技機におけるサイドランプの分解斜視図、図５はサイドランプにおけるベース部材の正面、左右側面、背面、Ａ−Ａ切断面、Ｂ−Ｂ切断面を示す図、図６はサイドランプにおける基板カバー部材の正面、Ｃ−Ｃ切断面、Ｄ−Ｄ切断面を示す図、図７は図２のＥ−Ｅ切断面を示す図、図８は図２のＦ−Ｆ切断面を示す図、図９は図１の遊技機における発光状態を示す図である。
【００１４】
図１および図２に示す本発明の一実施例に係る遊技機１は、パチンコ遊技機からなり、遊技盤３の前面には略円形のガイドレール５によって遊技領域７が区画形成され、前記遊技領域７の中央に判定用画像装置９、その周辺に入賞口１１や始動口１３等が設けられている。そして、発射装置Ｈから遊技領域７へ発射された遊技球が前記入賞口１１に入球すると、所定数の遊技球が賞品として球受け皿１５に払い出され、また始動口１３に入球すると、判定用画像表示装置９で図柄が変動表示し、その後の停止により表示された図柄が特定の図柄となった場合に大当たりを構成するようになっている。
【００１５】
また、前記遊技盤３の前面には、中央の判定用画像表示装置９から離れた左右の縁に、遊技機構成部材の一つとしてのサイドランプ２１が設けられている。前記サイドランプ２１は、遊技の進行状態に応じて発光や点滅をして遊技の趣向性を高めたり、発光や点滅によって遊技者に遊技情報を伝えたりする発光体装置からなる。なお、この実施例におけるサイドランプ２１は、左サイドランプ２１Ｌと右サイドランプ２１Ｒとで形状が左右対称となっているだけであって、その他の構成は互いに同じであるため、以下の説明では特に必要があるときを除いて左右を区別することなく記載する。
【００１６】
前記サイドランプ２１は、図３の組み立て後の斜視図および図４の分解斜視図に示すように、発光体２３、基板２５、ベース部材３１、挟持部材４７、反射部材５５、レンズ部材５９、レンズカバー部材６５よりなる。
【００１７】
発光体２３は、適宜のものが用いられるが、特に周辺方向よりも中央方向が明るい指向特性を有するものが好ましい。発光体２３の数は、発光体装置のサイズ等に応じて、適宜の数用いられる。発光体装置を前記サイドランプ２１とするこの例においては、縦方向に所要間隔で５個用いられている。さらに、ＬＥＤ（発光ダイオード）は、前記の指向特性を備え、寿命が長いため、本発明における発光体２３として好ましいものである。特にＬＥＤとしては光の指向特性が１５度から７０度程度のものが好ましい。
【００１８】
基板２５は、前記発光体２３を保持するためのもので、この例ではサイドランプ２１の形状に合わせた縦長な基板からなり、所要間隔で５個の発光体２３が基板２５の前面２６に垂直に固定されている。また、基板２５の上部と下部には取付用貫通穴２７，２８が貫通形成されている。符号２９はハーネス取付用コネクタである。
【００１９】
ベース部材３１は、前記基板２５をレンズ部材５９やレンズカバー部材６５等と共に、この遊技機１の他構成部材である遊技盤３へ取付けるためのもので、この例では非透光性樹脂で構成され、図５からよりよく理解されるように、前面外周に遊技盤３への固定部３２が鍔（つば）状に張り出して形成されている。前記固定部３２の裏面は遊技盤３前面への固定面３２ａとなっている。また、前記固定部３２の上部及び下部に遊技盤３への固定穴３３，３４と、レンズカバー部材取付穴３５，３６が形成されている。前記ベース部材３１の前面中央は、後方へ陥没して反射板収容部３７とされ、前記発光体２３のための貫通穴３８が、発光体２３の位置および数に合わせて形成されている。また、前記ベース部材３１における反射板収容部３７の後面上部と下部には、前記基板２５の取付用貫通穴２７，２８と対応する位置に基板取付部３９，４３が、固定面３２ａに対して垂直に形成されている。なおこの発明において用いる「垂直」の語句は、正確な垂直状態と正確な垂直に近い状態との両方を含む、通称「略垂直」の意味である。
【００２０】
上側の基板取付部３９は、基部側の大径柱状部分４０と先端側の小径ピン形状をした係合用突部４１との二段の柱形状からなる。前記係合用突部４１は、前記固定面３２ａに対して垂直になっていて、前記基板２５における上部位置の取付用貫通穴２７に挿通される。前記大径柱状部分４０と係合用突部４１との境界面は、前記基板２５の前面２６と当接して当該基板２５の向きを規定すると共に基板２５を保持する基板取付面４２を構成しており、前記固定面３２ａに対して所定角度傾斜し、このベース部材３１の固定面３２ａを遊技盤３の前面と平行にして該遊技盤３の前面所定位置に固定した際に、前記基板取付面４２が遊技機１の前方中央側へ所定角度傾斜するようになっている。なお、前記遊技機１の前方中央とは、前記遊技領域７の中央を通り前記遊技盤３の前面に垂直な中心線およびその付近を言う。
【００２１】
下側の基板取付部４３は、筒状からなり、先端面が基板２５の前面２６と当接して当該基板２５の向きを規定すると共に該基板２５を保持する基板取付面４４を構成しており、前記上側の基板取付部３９における基板取付面４２と同一の角度で固定面３２ａに対して傾斜している。また、この下側の基板取付部４３における基板取付面４４には、前記固定面３２ａに対して垂直な係止用穴４５が基板取付部４３内にかけて形成されている。
【００２２】
挟持部材４７は、前記基板２５の側面および後面を覆う形状からなり、この例では透光性樹脂で構成され、前記ベース部材３１への組み付けによりベース部材３１の固定面３２ａと平行になる垂直な後壁４７ａには、図６からよりよく理解されるように、前記基板２５のコネクタ２９のためのコネクタ用開口４８が形成され、該コネクタ用開口４８の上下に、前記基板２５の取付用貫通穴２７，２８に対応して位置を合わせた挟持用基板取付部４９，５２が筒状にされて、前記後壁４７ａの前面から該後壁４７ａとは垂直に形成されている。前記挟持用基板取付部４９，５２の先端は、前記基板２５の後面と当接して前記ベース部材３１の基板取付面４２，４４との間で基板２５を挟持する基板挟持面５０，５３となっており、前記ベース部材の基板取付面４２，４４と平行に形成されている。なおこの発明において用いる「平行」の語句は、正確な平行状態と、正確な平行に近い状態との両方を含む、いわゆる「略平行」の意味である。また、前記上方の挟持用基板取付部４９には、前記ベース部材３１の係合用突部４１の挿入される係合用穴５１が前記後壁４７ａに対して垂直に、すなわち前記ベース部材３１の固定面３２ａに対して垂直にして基板挟持面５０に形成され、それに対して前記下方の挟持用基板取付部５２には係止部材貫通穴５４が、前記後壁４７ａに対して垂直に、すなわち前記ベース部材３１の固定面３２ａに対して垂直にして挟持用基板取付面５３に貫通形成されている。
【００２３】
前記のように、この例では、前記ベース部材３１の基板取付部３９，４３と、前記挟持部材４７の挟持用基板取付部４９，５２と、前記基板２５の取付用貫通穴２７，２８とが、それぞれ互いに対応して二組形成され、下側位置の一組については、前記ベース部材３１の基板取付部４３に係止用穴４５、前記挟持部材４７の挟持用基板取付部５２に係止部材貫通穴５４がそれぞれ形成され、他方、上側位置の組については、前記ベース部材３１の基板取付部３９に係合用突部４１、前記挟持部材４７の挟持用基板取付部４９に係合用穴５１がそれぞれ形成されているが、前記上側の組と下側の組を逆にして構成してもよい。
【００２４】
前記ベース部材３１と基板２５と挟持部材４７とは、前記ベース部材３１の係合用突部４１を基板２５の上側の取付用貫通穴２７および挟持部材４７の係合用穴５１に挿入すると共に、前記ベース部材３１の下側の基板取付部４３における係止用穴４５を基板２５の下側の取付用貫通穴２８および挟持部材４７の係止部材貫通穴５４に位置を合わせて、前記基板２５をベース部材３１の基板取付面４２，４４と挟持部材４７の基板取付面５０，５３との間で挟み、前記挟持部材４７の後面側から係止部材貫通穴５４に挿入した螺子からなる棒状係止部材Ｂ１をベース部材３１の係止用穴４５に螺合係止させることにより組み合わされる。その際、前記基板２５および発光体２３は、前記基板取付面４２，４４，５０，５３の傾斜にしたがってベース部材３１の固定面３２ａに対し傾斜した状態となる。
【００２５】
反射板５５は、前面が鏡面処理によって反射面５７とされた金属メッキ板あるいは金属板等で形成され、また、厚みが遊技機１の外方側５６ａで厚く、内方側５６ｂで薄くされ、さらに、前記発光体２３の頭部が挿入されて突出する開口５８が、前記発光体２３の数および位置に合わせて形成されている。この反射板５５は、反射面５７を前方にして前記ベース部材３１の反射板収容部３７の内面に接着等で固定され、その際、前記反射板５５の遊技機外方側５６ａと内方側５６ｂの厚み差によって前記反射面５７が遊技機１の前方中央側へ傾斜するようになっている。
【００２６】
レンズ部材５９は、前記発光体２３の光を効率良く集光して強めるため等のものであり、透光性樹脂で構成され、前記発光体２３の光を通す部分が凸レンズ６０となっている。このレンズ部材５９は前記ベース部材３１の前面に配置されて反射板収容部３７に蓋をする形状からなり、前記ベース部材３１のレンズカバー部材取付穴３５，３６と対応する位置に取付穴６１，６２が形成されている。さらに、前記レンズ５９部材の後面には、レンズ位置決めピン６３が突設され、前記ベース部材３１に形成されているレンズ部材位置決め穴４６に挿入される。
【００２７】
レンズカバー部材６５は、このサイドランプ２１を遊技盤３に取付けた際に最も遊技者の目に触れる部分であり、透光性樹脂で構成され、表面には装飾が施されて装飾部材としての役割をする。このレンズカバー部材６５には、前記ベース部材３１のレンズカバー部材取付穴３５，３６と対応する位置に螺子穴６６，６７が形成され、前記ベース部材３１の後面側から螺子Ｂ２で前記レンズ部材５９と共にベース部材３１の前面に固定される。
【００２８】
このようにしてなる前記サイドランプ２１は、前記ベース部材３１の後側に位置する基板２５及び挟持部材４７が、前記遊技領域７の左右の縁におけるサイドランプ取付穴（図７および図８の符号１５で示す部分）に挿入されると共に、前記ベース部材３１の固定部３２が遊技盤３前面のサイドランプ取付穴周縁に配置されて固定部３２後側の固定面３２ａが遊技盤３に対して平行にされる。そして、前記ベース部材３１の固定穴３３，３４に通した螺子Ｂ３（図２に示す）を利用して遊技盤３の前面所定位置に固定される。図７はサイドランプ２１を遊技盤３へ取付けた状態における図２のＥ−Ｅ切断面、すなわち前記ベース部材３１における上側の基板取付部３９位置での切断面図、図８は図２のＦ−Ｆ切断面、すなわち前記ベース部材３１における下側の基板取付部４３位置での切断面図である。
【００２９】
前記のようにして遊技盤３の前面に取付けられたサイドランプ２１は、前記ベース部材３１の基板取付面４２，４４と挟持部材４７の基板挟持面５０，５３間に挟持された基板２５が遊技機１の前方中央側へ所定角度（ｍ度）傾斜し、しかも前記基板２５には発光体２３が垂直に取付けられているため、前記発光体２３の中心線Ｐが遊技機１の前面に垂直な線Ｒから遊技機１の前方中央側へ所定角度（ｍ度）傾斜した状態となる。前記発光体２３の中心線Ｐが遊技機１の前方中央側へ傾斜したことにより、図９に示すように遊技機１の前方に位置する遊技者にサイドランプ２１から発光体の光が効率よく届くようになり、遊技者が発光体の光を認識し易くなる。さらに、前記発光体は周辺方向よりも中央方向が明るい指向特性を有するため、より効率よく発光体の光が遊技者に到達するようになる。これに対し、図１０および図１１に示す従来の遊技機８０のように、遊技機８０の前面に垂直な線Ｒと、サイドランプ８１における発光体の中心線（図示せず）が平行な場合には、遊技機８０の前方に位置する遊技者に発光体の光が効率よく届きにくくなる。符号８２は遊技盤、８４は判定用画像装置である。
【００３０】
前記実施例の説明では、基板を傾斜させて保持する遊技機構成部材として、サイドランプからなる発光体装置を取り上げたが、本発明では基板を傾斜させて保持する遊技機構成部材はサイドランプ等の発光体装置に限られず、その他の遊技機構成部材にも適用され、また位置も限定されるものではない。例えば、遊技領域の上部に発光体装置等の遊技機構成部材を配置し、その遊技機構成部材における基板を遊技機の前方中央側（その場合下方側）へ傾斜させてもよい。また、発光体が前方中央方向への指向特性を有するものとしてはＬＥＤに限られるものではなく、レーザー等のようなその他の発光体を用いてもよい。さらに、本発明はパチンコ遊技機に限定されるものではなく、基板を傾斜させて保持する遊技機全般に適用される。さらにまた、前記実施例では棒状係止部材と係合用突部の両方によってベース部材と挟持部材を組み付けているが、棒状係止部材または係合用突部の何れか一方にしたり、その他の方法を併用したり、他の方法で行ったりしてもよい。また、ベース部材の遊技盤への固定やレンズカバー部材等の組み付けに螺子を用いたが、螺子に代えてカシメ部材や接着剤を使用してもよい。また、棒状係止部材として螺子を用いたが、螺子に限られるものではない。さらに、ベース部材の基板取付部や挟持部材の挟持用基板取付部の数も限定されるものではない。
【図面の簡単な説明】
【００３１】
【図１】本発明の一実施例に係る遊技機を示す正面図である。
【図２】図１の遊技機におけるサイドランプ付近を示す拡大図である。
【図３】図１の遊技機におけるサイドランプの斜視図である。
【図４】図１の遊技機におけるサイドランプの分解斜視図である。
【図５】ベース部材の正面、左右側面、背面、Ａ−Ａ切断面、Ｂ−Ｂ切断面を示す図である。
【図６】挟持部材の正面、Ｃ−Ｃ切断面、Ｄ−Ｄ切断面を示す図である。
【図７】図２のＥ−Ｅ切断面を示す図である。
【図８】図２のＦ−Ｆ切断面を示す図である。
【図９】図１の遊技機における発光状態を示す図である。
【図１０】従来の遊技機における発光状態を示す斜視図である。
【図１１】従来の遊技機における発光状態を示す平面図である。
【符号の説明】
【００３２】
１  遊技機
３  遊技盤
７  遊技領域
２１  サイドランプ
２３  発光体
２５  基板
２７，２８  取付用貫通穴
３１  ベース部材
３２  ベース部材の固定部
３２ａ  ベース部材の固定面
３９，４３  ベース部材の基板取付部
４１  係合用突部
４２，４４  ベース部材の基板取付面
４７  挟持部材
４９，５２  挟持部材の挟持用基板取付部
５０，５３  挟持部材の基板挟持面
５１  係合用穴
５４  係止部材貫通穴
５５  反射板
５７  反射面
Ｂ１  棒状係止部材（螺子）
【図１】
0003725142.tif 000002
【図２】
0003725142.tif 000003
【図３】
0003725142.tif 000004
【図４】
0003725142.tif 000005
【図５】
0003725142.tif 000006
【図６】
0003725142.tif 000007
【図７】
0003725142.tif 000008
【図８】
0003725142.tif 000009
【図９】
0003725142.tif 000010
【図１０】
0003725142.tif 000011
【図１１】
0003725142.tif 000012